(57)【特許請求の範囲】
【請求項１】
複数の紙が重ね合されている多層構造紙であって、
最表層の第１層紙と、
第１層紙の裏面側に位置し、波形形状を有する第２層紙と、を備え、
第１層紙の裏面に、第１層紙の表面から第１層紙を透して視認される模様が配置されている、多層構造紙。
【請求項２】
模様は、第１層紙の裏面に第１層紙の色と異なる色の色材によって構成されている、請求項１に記載の多層構造紙。
【請求項３】
第１層紙は、第２層紙の表面に直接的に重ね合せられている、請求項１又は２に記載の多層構造紙。
【請求項４】
多層構造紙は、第１層紙と、第２層紙と、第２層紙の裏面に直接的に重ね合せられている第３層紙と、によって構成される三層構造である、請求項３に記載の多層構造紙。
【請求項５】
多層構造紙は、第１層紙と、第２層紙と、によって構成される二層構造である、請求項３に記載の多層構造紙。
【請求項６】
請求項１から５のいずれか一項に記載の多層構造紙で作製される食品用トレーであって、
第１層紙が、食品が載置される面に配置されている、食品用トレー。
【発明の詳細な説明】
【技術分野】
【０００１】
本明細書は、紙が多層に重ね合せられる多層構造紙に関する。特に、少なくとも、波形形状の紙の層を有する多層構造紙に関する。
【背景技術】
【０００２】
特許文献１には、段ボールシートが開示されている。段ボールシートは、表面の透明プラスチックフィルムと紙層を備える。透明プラスチックフィルムには、表面と裏面とに印刷層が形成されている。この結果、段ボールシートの表面から、透明プラスチックフィルムの表裏面の印刷層が視認される。
【先行技術文献】
【特許文献】
【０００３】
【特許文献１】特開２０１２‐２４９９９号公報
【発明の概要】
【発明が解決しようとする課題】
【０００４】
上記の段ボールシートのように、包装用の箱、封筒等に用いられる紙製品は、意匠性が重要な要素となる。本明細書では、紙が多層に重ね合せられる多層構造紙において、透明プラスチックフィルムを用いずに、表面から視認可能な模様を配置する技術を提供する。
【課題を解決するための手段】
【０００５】
本明細書で開示される技術は、複数の紙が重ね合されている多層構造紙である。多層構造紙は、最表層の第１層紙と、第１層紙の裏面側に位置し、波形形状を有する第２層紙と、を備える。第１層紙の裏面に、第１層紙の表面から第１層紙を透して視認される模様が配置されている。
【０００６】
上記の構成では、最表層の紙の裏面に配置された模様は、紙を透かして視認される。この構成によれば、透明プラスチックフィルムを用いずに、表面から視認可能な模様を配置することができる。この結果、多層構造紙の最表面に配置された模様を直接的に視認する場合や、透明なプラスチックシートを透して視認する場合と比較して、異なった印象の外観を呈することができる。
【０００７】
上述した多層構造紙で作製される食品用トレーも新規で有用である。この食品用トレーでは、透明なフィルムを用いずに、模様、即ち模様を構成する色材が直接食品に接触することを防止することができる。
【図面の簡単な説明】
【０００８】
【図１】第１実施例の多層構造紙の斜視図を示す。
【図２】図１の領域Ｘの拡大図を示す。
【図３】第１実施例の多層構造紙の分解斜視図を示す。
【図４】第１実施例の最表層の紙の裏面を示す斜視図を示す。
【図５】第２実施例の多層構造紙の側面図を示す。
【図６】多層構造紙を用いた食品トレーの斜視図を示す。
【図７】多層構造紙を用いた包装箱の斜視図を示す。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）本明細書で開示される多層構造紙では、模様は、第１層紙の裏面に第１層紙の色と異なる色の色材によって構成されていてもよい。
【００１１】
（特徴２）本明細書で開示される多層構造紙では、第１層紙は、第２層紙の表面に直接的に重ね合せられていてもよい。
【００１２】
（特徴３）本明細書で開示される多層構造紙は、第１層紙と、第２層紙と、第２層紙の裏面に直接的に重ね合せられている第３層紙と、によって構成される三層構造であってもよい。あるいは、さらに、第４層以上の紙が重ね合されていてもよい。
【００１３】
（特徴４）本明細書で開示される多層構造紙は、第１層紙と、第２層紙と、によって構成される二層構造であってもよい。
【実施例】
【００１４】
（第１実施例）
図１は、本実施例の三層構造紙１０の斜視図を示し、図２は、図１の領域Ｘの拡大図を示す。図３は、三層構造紙１０の分解斜視図を示す。図１〜図３に示すように、三層構造紙１０は、三層の紙１２，１４，１６によって構成されている。三層構造紙１０では、最上層（即ち最表層）から順に、第１層紙１２、第２層紙１４、第３層紙１６が配置されている。第３層紙１６は、平らなシート状の紙である。第３層紙１６は、三層構造紙１０の最外層（即ち最裏層）に位置する。第３層紙１６は、白色の紙で作製されている。なお、本明細書では、便宜上、第１層紙１２が最表層であり、第３層紙１６が最裏層であるものとして説明されている。しかしながら、三層構造紙１０が箱等に利用される場合に、第１層紙１２が箱等の表面に配置されてもよいし、第３層紙１６が箱等の表面に配置されてもよい。
【００１５】
第３層紙１６の一方の面には、第２層紙１４が接着されている。第２層紙１４には、全面に亘って波形形状が形成されている。第２層紙１４は、第３層紙１６と同色の白色の紙で作製されている。第２層紙１４の第３層紙１６が接着されている面と反対側の面には、第１層紙１２が接着されている。
【００１６】
第１層紙１２は、三層構造紙１０の最表層に配置されている。第１層紙１２は、第３層紙１６と同様に、平らなシート状の紙である。即ち、三層構造紙１０は、第２層紙１４が中しんであり、第１層紙１２と第３層紙１６とのそれぞれがライナである段ボールということができる。第１層紙１２は、第２層紙１４及び第３層紙１６と同色の白色の紙で作製されている。
【００１７】
図４に示すように、第１層紙１２の第２層紙１４と接着される裏面１２ａには、模様２０が配置されている。模様２０は、第１層紙１２の裏面１２ａに黒色のインクによって印刷されたものである。なお、模様２０は、図１〜図４に示される模様に限られず、他の模様、文字、記号、写真等であってもよい。一方、第１層紙１２の表面１２ｂ、即ち、三層構造紙１０の最外面には、模様は配置されていない。
【００１８】
なお、模様２０は、黒色のインク以外に、青、赤、緑等、等の単色あるいは複数色のインクを用いた印刷によって形成することができる。本実施例では、印刷用のインクが「色材」の一例である。模様２０は、第１層紙１２及び第２層紙１４の色以外の色で描かれている。
【００１９】
（第２実施例）
図５に示すように、本実施例の多層構造紙は、第１層紙１２と第２層紙１４とを備える２層構造紙５０である。２層構造紙５０は、片面段ボールと言うことができる。その他の構成は、３層構造紙１０と同様である。
【００２０】
図６に示すように、３層構造紙１０及び２層構造紙５０は、食品用トレー１００に用いることができる。食品用トレー１００では、第１層紙１２が、食品が載置される最上面に配置されている。この構成では、模様２０のインクが食品に接触することなく、模様２０を食品用トレー１００の上方から視認可能に配置することができる。
【００２１】
また、３層構造紙１０及び２層構造紙１００は、食品用トレー１００に限られず、図７に示す包装用箱２００に用いることもできる。あるいは、３層構造紙１０及び２層構造紙１００は、封筒、はがき、ファイル、書籍の表紙等、あらゆる物品に用いることができる。なお、食品用トレー１００、包装用箱２００では、第１層紙１２が食品用トレー１００、包装用箱２００の外側に配置され、模様２０が、食品用トレー１００、包装用箱２００の外側から視認可能に配置されていてもよい。
【００２２】
３層構造紙１０及び２層構造紙１００では、模様２０は、直接的に視認されず、第１層紙１２が透けて視認される。この結果、仮に、模様２０が黒色であり、第１層紙１２が白色である場合、模様２０は、灰色を帯びたうっすらとしたものとなる。例えば、模様２０が風景画である場合、ぼんやりと霞がかかったような風合いの模様とすることができる。この構成によれば、フィルム等の透明のシートの裏面に模様を配置する場合と比較して、異なった風合いを呈することができ、特徴的な意匠を構成することができる。
【００２３】
また、第１層紙１２の種類、透光性、色を変えることによって、模様２０を変化させずに、模様２０の印象を変化させることができる。
【００２４】
さらに、３層構造紙１０及び２層構造紙１００では、プラスチック等を用いずに、紙で構成することができる。この構成では、プラスチック等、紙と異なる材料を用いるシートと比較して、リサイクル性を向上させることができる。
【００２５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００２６】
（１）上記した実施例では、三層構造の３層構造紙１０と、二層構造の２層構造紙１００が開示されている。しかしながら、「多層構造紙」は、二層又は三層に限られず、四層以上の紙によって構成されていてもよい。例えば、３層構造紙１０の第３層紙１６の第２層紙１４とは反対側の面に、第２層紙１４あるいは第３層紙１６と同様の紙が１枚以上配置されていてもよい。
【００２７】
（２）上記した実施例では、第１層紙１２の裏面１２ａに模様２０が配置されている。しかしながら、第３層紙１６の第２層紙１４側の面にも模様が配置されていてもよい。
【００２８】
（３）第１〜第３層紙１２〜１６の厚みは、同一であってもよいし、異なっていてもよい。
【００２９】
（４）第１〜第３層紙１２〜１６の色は、白色に限らず、赤色、黄色、青色等の単色あるいは複数色であってもよい。この場合、模様２０は、第１〜第３層紙１２〜１６の色と異なる色材で構成されていてもよい。
【００３０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３１】
１０    ：三層構造紙
１２    ：第１層紙
１２ａ  ：裏面
１２ｂ  ：表面
１４    ：第２層紙
１６    ：第３層紙
２０    ：模様
１００  ：食品用トレー
２００  ：包装用箱
Ｘ      ：領域
【図１】
0006259010.tif 000002
【図２】
0006259010.tif 000003
【図３】
0006259010.tif 000004
【図４】
0006259010.tif 000005
【図５】
0006259010.tif 000006
【図６】
0006259010.tif 000007
【図７】
0006259010.tif 000008